(57)【要約】  電気機械式ロックが提供される。ロックは、通信装置１０６に対して認証の手続きを行い、認証が成功したという条件で、オープン・コマンドを発行するために、通信装置１０６のための無線インターフェース１１２を設けるための電子回路構成手段１２０と、オープン・コマンドを受け取って、機械的にオープン可能な状態にロックを設定するアクチュエータ手段１２４とを含み、電子回路構成手段１２０は、電子回路構成手段及びアクチュエータ手段のための動作電力を無線で通信装置１０６から受け取るように構成される。
2014535018.tif 000002
【特許請求の範囲】
【請求項１】
通信装置（１０６）に対する認証の手続きを行い、前記認証が成功したという条件でオープン・コマンドを発行するために、前記通信装置（１０６）のための無線インターフェース（１１２）を設ける電子回路構成手段（１２０）と、
前記オープン・コマンドを受け取り、機械的にオープン可能な状態に電気機械式ロックを設定するアクチュエータ手段（１２４）とを含み、
前記電子回路構成手段（１２０）は、前記電子回路構成手段及び前記アクチュエータ手段のための動作電力を無線で前記通信装置（１０６）から受け取るように構成される、電気機械式ロック。
【請求項２】
前記電子回路構成手段（１２０）は、前記オープン・コマンドの後から所定の時間内にユーザ入力を受け取らない場合、前記アクチュエータ手段にクローズ・コマンドを送るように構成され、
前記アクチュエータ手段は、クローズ・コマンドを受け取り、機械的なロック状態に前記ロックを設定するように構成される、請求項１に記載の電気機械式ロック。
【請求項３】
オープン及びクローズのコマンドを前記アクチュエータ手段に送るための動作電力を保存するための、及び前記アクチュエータが必要とする前記動作電力のための１つ又は複数の保存手段をさらに含む、請求項２に記載の電気機械式ロック。
【請求項４】
オープン・コマンドを前記アクチュエータ手段に送るための動作電力を保存するための保存手段と、
クローズ・コマンドを前記アクチュエータ手段に送るための動作電力を保存するための保存手段とをさらに含む、請求項２に記載の電気機械式ロック。
【請求項５】
ユーザから入力を受け取るように構成されるユーザ・インターフェース手段と、
前記アクチュエータ手段がオープン可能な状態に設定された場合、前記ユーザ入力をロック・メカニズム（１１４）に結合するための結合手段とをさらに含む、請求項１から４のいずれか一項に記載の電気機械式ロック。
【請求項６】
ユーザ入力ベースのオープン動作が完了したとき、前記ロックがオープン可能な状態からロック状態に戻るように、前記アクチュエータ手段を機械的に制御するための手段（１１８）をさらに含む、請求項５に記載の電気機械式ロック。
【請求項７】
前記電子回路構成手段（１２０）は、前記ロックがオープン可能であるとき、及びアクセスが拒否されたとき、それをユーザに表示するように構成される、請求項１から６のいずれか一項に記載の電気機械式ロック。
【請求項８】
前記電子回路構成手段（１２０）は、前記ロックがオープン可能であるとき、及びアクセスが拒否されたとき、その表示を前記通信装置（１０６）に送るように構成される、請求項１から７のいずれか一項に記載の電気機械式ロック。
【請求項９】
電気機械式ロックを動作させるための方法であって、
通信装置（１０６）のための無線インターフェース（１１２）を設けるための動作電力を前記通信装置（１０６）から無線で受け取るステップと、
前記無線インターフェースを使用して、前記通信装置（１０６）に対する認証の手続きを行い、前記認証が成功したことを条件にオープン・コマンドを発行するステップと、
前記オープン・コマンドに応答して、前記ロックを機械的にオープン可能な状態に設定するステップとを含む、前記方法。
【請求項１０】
前記オープン・コマンドの後から所定の時間内に、ユーザ入力を受け取らない場合、クローズ・コマンドを送るステップと、
前記オープン・コマンドに応答して、前記ロックを機械的にロック状態に設定するステップとをさらに含む、請求項９に記載の方法。
【請求項１１】
オープン及びクローズのコマンドを送るための、及び前記アクチュエータが必要とする動作電力のための１つ又は複数の保存手段中に、前記動作電力を保存するステップをさらに含む、請求項１０に記載の方法。
【請求項１２】
ユーザ入力ベースのオープン動作が完了したとき、オープン可能な状態からロック状態に戻るように、前記ロックを機械的に制御するステップをさらに含む、請求項９から１１のいずれか一項に記載の方法。
【請求項１３】
前記ロックがオープン可能なとき、及びアクセスが拒否されたとき、それをユーザに示すステップをさらに含む、請求項９から１２のいずれか一項に記載の方法。
【請求項１４】
前記ロックがオープン可能なとき、及びアクセスが拒否されたとき、その表示を前記通信装置（１０６）に送るステップをさらに含む、請求項９から１３のいずれか一項に記載の方法。
【請求項１５】
コンピュータ・プロセスを実行するための命令のコンピュータ・プログラムをエンコーディングするコンピュータ・プログラム製品であって、前記コンピュータ・プロセスは、
通信装置（１０６）から無線で受け取った動作電力の保存を制御して、前記通信装置（１０６）のための無線インターフェース（１１２）を設けるために、前記受け取った動作電力を印加するステップと、
前記無線インターフェースを使用して、前記通信装置（１０６）に対する認証の手続きを行い、前記認証が成功したという条件で、前記ロックを機械的にオープン可能な状態に設定することを求めるオープン・コマンドを発行するステップとを実行する、前記コンピュータ・プログラム製品。
【発明の詳細な説明】
【技術分野】
【０００１】
本発明は、電気機械式ロック、特にＮＦＣ給電機能搭載（ＮＦＣ−ｐｏｗｅｒｅｄ）の電気機械式ロックに関する。
【背景技術】
【０００２】
様々なタイプの電気機械式ロッキング・システムによって、従来の機械式ロッキング・システム及び有線アクセス制御システムが置き換えられつつある。無線電気機械式ロックには、電力の外部電源、ロック内部のバッテリ、キー内部のバッテリ、又はユーザに給電させるロック内で発電するための手段が必要である。電気機械式ロッキング・システムは、従来の機械式ロッキング・システムを超える多くの便益をもたらす。電気機械式ロッキング・システムは、キー、セキュリティ・トークン及びロックのより良いセキュリティ及び柔軟なアクセス管理をもたらす。無線電気機械式ロッキング・システムは、有線アクセス制御システムに比べて容易に設置され、費用効率が高い解決策をもたらす。
【０００３】
さらに、ほとんどの電気機械式ロック及び／又はキー、及びトークンは、プログラマブルである。異なるキーを受け入れ、他のキーを拒否するように、ロックをプログラムすることが可能である。
【０００４】
通常の電気機械式ロックには、電力の外部電源、ロック内部のバッテリ、キー内部のバッテリ、又はユーザに給電させるロック内で発電するための手段が必要である。
【発明の概要】
【発明が解決しようとする課題】
【０００５】
さらに、できるだけ少なく電力を消費するように、電気機械式ロックを製造するためには、さらなる工夫が必要である。
【課題を解決するための手段】
【０００６】
本発明の態様によれば、電気機械式ロックが提供され、そのロックは、通信装置に対する認証の手続きを行い、認証が成功したという条件でオープン・コマンドを発行するために、通信装置のための無線インターフェースを設けるための電子回路構成手段と、オープン・コマンドを受け取って、機械的にオープン可能な状態にロックを設定するためのアクチュエータ手段とを含み、電子回路構成手段は、電子回路構成手段及びアクチュエータ手段のための動作電力を無線で通信装置から受け取るように構成される。
【０００７】
本発明の別の態様によれば、電気機械式ロックを動作させるための方法が提供され、その方法は、通信装置のための無線インターフェースを設けるための動作電力を通信装置から無線で受け取るステップと、無線インターフェースを使用して通信装置に対する認証の手続きを行い、認証が成功したという条件でオープン・コマンドを発行するステップと、オープン・コマンドに応答して、機械的にオープン可能な状態にロックを設定するステップとを含む。
【０００８】
本発明の別の態様によれば、コンピュータ・プロセスを実行するための命令のコンピュータ・プログラムをエンコーディングするコンピュータ・プログラム製品が提供され、そのコンピュータ・プロセスは、通信装置から無線で受け取った動作電力の保存を制御して、通信装置のための無線インターフェースを設けるために、受け取った電力を印加するステップと、無線インターフェースを使用して通信装置に対する認証の手続きを行い、認証が成功したという条件で、機械的にオープン可能な状態にロックを設定するように求めるオープン・コマンドを発行するステップとを実行する。
【０００９】
単なる例として、添付図面を参照して本発明の実施例を以下に述べる。
【図面の簡単な説明】
【００１０】
【図１Ａ】電子認証システムの実施例を例示する図である。
【図１Ｂ】ＮＦＣ給電機能搭載の電子ロッキング・システムの実施例を例示する図である。
【図２】ロックの電子回路構成の実施例を例示する図である。
【図３Ａ】実施例を例示するフローチャートである。
【図３Ｂ】実施例を例示するフローチャートである。
【発明を実施するための形態】
【００１１】
次の実施例は、例示的である。本明細書ではいくつかの場所で「ある（ａｎ）」、「１つの（ｏｎｅ）」又は「いくつかの（ｓｏｍｅ）」実施例（複数可）を言うことがあるが、これは、そのような各参照が同じ実施例（複数可）を対象としていること、又は特徴が単一の実施例にだけ適用されることを必ずしも意味しない。異なる実施例の単一の特徴を組み合わせて、また、他の実施例を設けることができる。
【００１２】
本発明の実施例では、バッテリを搭載していない無線の電気機械的なロックを無線によってオープンするために、電子的なキーが利用される。そのキーは、ユーザが自分の無線通信装置の一部として携帯することができる。図１Ａは、電子ロッキング・システムの実施例を示す。ユーザ１０５は、まさにドア１１５を開けようとしている。ユーザは、通信装置１０６を携帯している。
【００１３】
通信装置１０６は、携帯できる計算装置を言う。そのような計算装置は、無線移動通信装置、たとえば携帯電話、スマートフォン、タブレット・コンピュータ、携帯情報端末（ＰＤＡ：ｐｅｒｓｏｎａｌ  ｄｉｇｉｔａｌ  ａｓｓｉｓｔａｎｔ）又はパーソナル・コンピュータを含む。通信装置１０６は、無線ネットワーク１０２への無線ネットワーク・チャネル１０４の接続を有することができる。無線接続チャネル１０４及び無線ネットワーク１０２は、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷＬＡＮ（Ｗｉｒｅｌｅｓｓ  Ｌｏｃａｌ  Ａｒｅａ  Ｎｅｔｗｏｒｋ）、又はいずれもの他の適切な標準／非標準の無線通信手段によって実現することができる。
【００１４】
実施例では、通信装置は、ＳＩＭ／ＵＩＣＣカードを搭載している。ＳＩＭ（Ｓｕｂｓｃｒｉｂｅｒ  Ｉｄｅｎｔｉｔｙ  Ｍｏｄｕｌｅ）及びＵＩＣＣ（Ｕｎｉｖｅｒｓａｌ  Ｉｎｔｅｇｒａｔｅｄ  Ｃｉｒｃｕｉｔ  Ｃａｒｄ）は、ＧＳＭ及びＵＭＴＳのネットワーク中の携帯端末で使用されるスマート・カードである。スマート・カードは、プロセッサ、Ｉ／Ｏ回路、及び通常は数百キロバイト以上であるメモリを含む。メモリ及びスマート・カードは、たとえばあらゆる種類の個人データのインテグリティ及びセキュリティを保証するために、利用することができる。メモリは、アプリケーションを格納し、データのための格納スペースとなることができる。
【００１５】
通信装置１０６は、他のそれぞれの短距離用ユニットと、そのようなユニットを検出したとき、通信するように構成される短距離無線通信ユニットを備える。
【００１６】
実施例では、短距離無線通信は、近距離無線通信（ＮＦＣ：Ｎｅａｒ  Ｆｉｅｌｄ  Ｃｏｍｍｕｎｉｃａｔｉｏｎ）技法を用いて実現される。ＮＦＣは、通常４ｃｍ以下の距離が必要な短距離無線技術のセットである。ＮＦＣは、ＩＳＯ／ＩＥＣ１８０００―３無線インターフェースに基づき、１０６ｋビット／ｓ〜４２４ｋビット／ｓの範囲の速度において、１３．５６ＭＨｚで動作する。ＮＦＣは、常に、イニシエータ及びターゲットを伴い、イニシエータは、受動的なターゲットに給電することができる無線周波数（ＲＦ：ｒａｄｉｏ  ｆｒｅｑｕｅｎｃｙ）場を能動的に発生する。これによって、ＮＦＣターゲットは、非常にシンプルなフォーム・ファクタ、たとえばタグ、ステッカー、キーの小鎖（ｆｏｂ）又はバッテリを必要としないカードの形を取ることができるようになる。上記では、ＩＳＯは、国際標準化機構（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）を表し、ＩＥＣは、国際電気標準会議（ｔｈｅ  Ｉｎｔｅｒｎａｔｉｏｎａｌ  Ｅｌｅｃｔｒｏｔｅｃｈｎｉｃａｌ  Ｃｏｍｍｉｓｓｉｏｎ）を表す。
【００１７】
受動的な通信モードでは、イニシエータ装置は、キャリア場（ｃａｒｒｉｅｒ  ｆｉｅｌｄ）を形成し、ターゲット装置は、既存の場を変調することによって応答する。このモードでは、ターゲット装置は、イニシエータが形成する電磁場からその動作電力を引き出すことができ、それゆえターゲット装置がトランスポンダになる。本発明の実施例では、通信装置１０６は、イニシエータとして動作している。
【００１８】
ドア１１５は、電気機械式ロック１１６を含む。ロックは、ロック・インターフェース１０８、ロック・アンテナ１１２及びロッキング・メカニズム１１４を含む。ロッキング・メカニズムの実例は、ロック・ボルトである。ロック・インターフェースは、たとえばドアノブ又はハンドルとすることができる。ロック・アンテナ１１２は、ロックの電子回路構成に接続される（図１Ａには図示せず）。その回路構成は、短距離通信装置を含む。その装置は、ＮＦＣ送受信機とすることができる。実施例では、ロックのＮＦＣ送受信機は、ターゲット装置である。
【００１９】
ユーザ１０５が、開けようと望むドアに近づいたとき、ユーザは、通信装置１０６をロック・アンテナ１１２に近づける。ロックの電子回路構成は、通信装置の短距離送信１１０によって給電されて、トランザクションが開始される。認証手続きでは、通信装置が、ロックの電子回路構成から認証のための誰何（ｃｈａｌｌｅｎｇｅ）を読む。通信装置１０６は、回答を計算し、その回答をロックの電子回路構成に送信する。次に、ロックは、認証の手続きを実施する。認証では、ロックは、回答を認証する。実施例では、その回答は、誰何に対して認証される。認証が成功した場合、ロックは、オープン可能な状態に設定される。上記のすべての動作は、通信装置の短距離送信から受け取った電力を使用して実施される。
【００２０】
上記で述べた誰何−回答の認証方法は、認証手続きの単なる実例であり、また他の認証手続きを使用することができる。一般に、認証タスクは、ロックと通信装置の間で対称的に、又は非対称的に分けることができる。通信装置がロックとの無線での接触状態にされたとき、ロック及び装置は、認証手続きを開始する。たとえば、ロックは、通信装置を認証することができ、通信装置は、ロックを認証することができる、又はその両方の当事者が、互いに認証する。
【００２１】
次に、ユーザは、ロックのユーザ・インターフェース１０８を動作させる。その動作は、ドアノブ又はハンドルを回すことを含むことができる。その動作によって、ロックが起動され、ロックがロック・メカニズムを動作させるための動作電力が、供給される。
【００２２】
実施例では、通信装置１０６は、無線ネットワーク・チャネル１０４上で認証サービス１００を使用して、認証手続きを実施する。
【００２３】
実施例では、認証サービスは、ロック・システムのロックに関連する動作の監査形跡を記録することができる。それゆえ、ロックを開けようとする各試みは、後で調べることができる。さらに、認証サービスは、時限アクセス権管理を利用することができる。実施例では、ロックは、監査形跡に各動作を格納することができる。認証サービスは、１つ又は複数のコンピュータ、サーバ又は計算装置、及び関連するソフトウェアを用いて実現することができる。
【００２４】
実施例では、認証手続きは、また、移動通信装置のＳＩＭ／ＵＩＣＣカード上で、サーバなしで、ＳＩＭ／ＵＩＣＣカードに関連する認証技法を使用して、ローカルに実施することができる。
【００２５】
本発明の実施例に関連して、いずれもの適切な認証技法を使用することができる。認証技法の選択は、ロック１０６の所望のセキュリティ・レベル及びロック・サイトに対する無線ネットワーク接続の可用性によって決まる。
【００２６】
実施例では、誰何−回答の認証が利用される。実例として、それについてここで簡単に述べる。誰何は、ロック・システムＩＤ、ロックＩＤ、アクセス・データ及びチェック値を含むことができる。ロック・システムＩＤは、ロックが属するロック・システムを識別する。ロックＩＤは、ロック・システム中のロックを識別する。ロック・システム中の各ロックは、一意の証明書（ｉｄｅｎｔｉｆｉｃａｔｉｏｎ）を含むことができる。アクセス・データは、ランダムな数字データとすることができる。チェック値は、誰何のインテグリティを裏付けるサイクリック・リダンダンシー・チェック値である。
【００２７】
実施例では、認証サービス又は回答を計算する通信装置は、回答に基づき、認証が成功するのかどうかを決定することができる。通信装置１０６は、ユーザに、認証が成功するのかどうかを通知することができる。
【００２８】
実施例では、通信装置のユーザの個人識別番号（ＰＩＮ：Ｐｅｒｓｏｎａｌ  Ｉｄｅｎｔｉｆｉｃａｔｉｏｎ  Ｎｕｍｂｅｒ）又は指紋データは、誰何に対する回答を生成するとき、使用することができる。通信装置は、指紋を読み取り、指紋に基づき数字表示を生成するように構成される指紋データ読取器を含むことができる。
【００２９】
誰何は、ＰＩＮ又は指紋のクエリーを含むことができる。通信装置のユーザは、ＰＩＮを打ち込むか、又は通信装置の指紋データ読取器を使用することができる。通信装置は、ＰＩＮ又は指紋の数字表示を誰何に対する回答として送るように構成される。ロックは、ロックがオープンすることを許可するＰＩＮ及び指紋のセットを格納するように構成することができる。ロックの電子回路構成は、回答を格納された値と比較し、一致した場合、認証は、成功であるとみなされる。
【００３０】
図１Ｂは、電気機械式ロック１１６及び通信装置１０６のさらに詳しい実例を示す。通信装置は、短距離通信ユニット１４０を含む。実施例では、短距離通信ユニット１４０は、イニシエータとして動作する、能動型のＮＦＣ送受信機である。通信装置１０６は、無線ネットワーク、たとえばＧＳＭネットワーク、ＷＣＤＭＡネットワーク、ＷＬＡＮネットワーク、又はいずれもの他の適切な標準／非標準の無線通信ネットワークへの無線ネットワーク・チャネル接続を実現するために、無線送受信機１０７を含むことができる。
【００３１】
ロック１１６は、電子回路構成１２０及びロック・アンテナ１１２、ロック・インターフェース１０８及びロッキング・メカニズム１１４を前で述べたように含む。電子回路構成１２０は、１つ又は複数の集積回路、たとえば特定用途向け集積回路ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）として実現することができる。他の実施例、たとえば別個のロジック構成要素から構築される回路、又はメモリ・ユニット及びソフトウェアを有する１つ又は複数のプロセッサの実施例が、また実行可能である。これらの異なる実施例の混成物は、また実行可能である。当業者は、実装形態の方法を選択するとき、たとえば、装置の電力消費、製造コスト及び製造量に対して設定される要件を考慮することになる。電子回路構成１２０は、コンピュータ・プロセスを実行するためのコンピュータ・プログラム命令を実行するように構成することができる。ロック１１６は、ロッキング・メカニズム１１４をオープン可能な状態又はクローズ状態に設定することができる電動のアクチュエータ１２４をさらに含む。さらにまた、ロックは、ロック状態に戻るようにアクチュエータを機械的に制御するように構成される手段１１８を含むことができる。
【００３２】
図２は、ロックの電子回路構成１２０を例示する。回路及びオープン動作をさらに詳細に検討しよう。また、図３Ａ及び３Ｂのフローチャートは、オープン動作を例示する。
【００３３】
ロックの電子的な回路１２０は、ＲＦインターフェース２００、電力制御ユニット２０２、処理ユニット又はマイクロコントローラ２０４、電力保存器２０６、２０８、及びオープン・アナログ・スイッチ２１０及びクローズ・アナログ・スイッチ２１２を用いて実現される。マイクロプロセッサ２０４は、回路１２０の動作を制御する。
【００３４】
ＲＦインターフェース２００は、ロックと通信装置の間で無線インターフェースを形成するように構成される。回路は、すべての動作のための動作電力を無線１１０で通信装置から受け取るように構成される。マイクロプロセッサ２０４は、十分な充電レベルに達するまで、通信装置との間でＲＦインターフェース２００をアクティブに維持することによって、電力保存器の充電を測定して管理する。実施例では、ＲＦインターフェースは、ＮＦＣ送受信機である。
【００３５】
処理ユニット２０４は、マイクロコントローラ、プロセッサ又は命令のコンピュータ・プログラムを格納するためのメモリを含む回路構成とすることができる。
【００３６】
処理ユニット２０４は、通信装置に関して、認証手続きを処理するように構成される。認証が成功した後で、十分な電力レベルに達したとき、アクチュエータ１２４は、機械的にオープン可能な状態にロックを設定するように構成される。制御スイッチ２１０が起動されて、電力保存器２０６のエネルギーがアクチュエータ１２４に供給される。所定の遅延の後、アクチュエータは、クローズ・スイッチ２１２を通じて電力保存器２０８の電力をアクチュエータ１２４に供給することによって、ロック状態にリセットされる。実施例では、アクチュエータ１２４は、オープン可能な状態の場合に時計方向に駆動され、リセットされたときに反時計方向に駆動される電気モーターを含むことができる。アクチュエータ１２４が、機械的にオープン可能な状態にロックを設定したとき、ロッキング・メカニズム１１４は、たとえば、ユーザ・インターフェース１０８を動作させることによって、移動させることができる。他の適切な動作メカニズムもまた使用することができる。
【００３７】
電力保存器は、電力を保存するように構成される。電力保存器は、コンデンサ又は本分野で知られる他の適切な技術によって実現することができる。電力保存器の数は、２つに限定されず、それは、設計事項である。オープン・アナログ・スイッチ２１０及びクローズ・アナログ・スイッチ２１２は、電力保存器２０６、２０８中に保存された動作電力をアクチュエータ１２４に接続するように構成される。
【００３８】
処理ユニット２０４を含む電子回路構成１２０は、通信装置（１０６）から無線で受け取った電力に基づき、動作するように構成される。さらに、回路構成は、アクチュエータ手段のための動作電力を受け取り保存するように構成される。
【００３９】
図３Ａ〜３Ｂは、本発明の実施例を例示するフローチャートである。ここで、デフォルト設定で、ドア１１５の電気機械式ロック１１６は、ロック状態にあり、それは、オープン可能な状態に設定されるまで、ロック状態のままであることが仮定されている。
【００４０】
この実例では、ロック・アンテナ１１２をドアノブ１０８中に埋め込むことができると仮定してもよい。
【００４１】
オープンするシーケンスは、図３Ａのステップ３００から開始される。
【００４２】
ステップ３０２では、通信装置１０６のユーザが、通信装置を起動する。これは、通信装置のＮＦＣ送受信機をスイッチ・オンにするステップを含むことができる。通信装置は、ロック・アンテナ１１２が通信装置のＮＦＣ送受信機のカバレッジ領域内に入るように配置される。たとえば、ユーザは、ロック・アンテナを通信装置と接触させることができる。これは、ロックの無線インターフェース１１２と通信装置の間で接続を確立させる。同様に、電力保存器２０６、２０８の充電及び認証動作が起動される。
【００４３】
ステップ３０３で、電力保存器の充電が開始される。電力保存器は、通信装置から無線で受け取ったエネルギーから充電される。
【００４４】
ステップ３０４で、認証手続きが実施される。上記で述べたように、認証手続きは、誰何−回答を伴うことができるが、しかし、いずれもの他の適切な認証方法もまた使用することができる。電力保存器の充電は、認証が実施されている間、持続することができる。
【００４５】
ステップ３０６で、認証が成功したのかどうかがチェックされる。不成功の場合、ロック及び／又は通信装置は、ステップ３１８で、認証が不成功であったことを、適切な表示、たとえば視覚的な、又は音声の標識、或いはその両方で示すことができる。この場合、処理は、ステップ３１０で終了する。
【００４６】
認証が成功した場合、電力保存器の充電が、ステップ３０８で継続されている。充電は、処理ユニットが、ステップ３１２で、必要な電力レベルが得られたと決定するまで、継続される。ステップ３１６で、通信装置１０６及び／又はロック１１６は、認証が成功し、電力保存器が、通信装置１０６をノブ１０８から取り外すことができるように充電されたとき、それをユーザに合図することができる。その合図は、音声若しくは視覚的な効果、又はその両方とすることができる。合図の実例は、通信装置のディスプレイ中のシンボル又はロック１１６中のＬＥＤ灯、ロック１１６から、及び通信装置１０６から与えられる音声の合図である。アクセスが認められた場合、及びアクセスが拒否された場合、それぞれ異なる表示を与えることができる。
【００４７】
ステップ３１４で、処理ユニット２０４は、機械的にオープン可能な状態にロックを設定することを求めるオープン・コマンドをアクチュエータ手段１２４に発行する。実施例では、これは、処理ユニットが、保存器２０６中に保存された電力をアクチュエータ１２４に接続することを求めるコマンドをスイッチ２１０に与えることによって実現される。
【００４８】
ここでドアノブ１０８を回すと、ロック・メカニズムが動作し、ロックがオープンされる。
【００４９】
図３Ｂは、実施例を例示する別のフローチャートである。実施例は、アクチュエータがオープン・コマンドを受け取り、ロックがオープン可能な状態に設定されたとき、ステップ３２０から開始される。
【００５０】
ステップ３２２で、マイクロプロセッサ２０４は、所定の遅延時間を用いて遅延カウンタを設定する。
【００５１】
ステップ３２４で、処理ユニット２０４は、所定の遅延時間が経過したのかどうかをチェックする。その遅延時間が経過した場合、マイクロプロセッサ２０４は、ステップ３２６で、クローズ・コマンドをアクチュエータに発行する。実施例では、これは、処理ユニットが、保存器２０８中に保存された電力をアクチュエータ１２４に接続することを求めるコマンドをスイッチ２１２に与えることによって実現される。
【００５２】
これによってロックがクローズされる。上記の方法は、ロック１１６をオープン可能な状態に設定した後、ノブ１０８が操作されない場合、ロック１１６が、所定の時間の後、ロックされることを保証するものである。
【００５３】
実施例では、アクチュエータ１２４は、ノブ１０８の動作が完了したとき、機械的にロック状態に設定することができる。これは、ドアノブに接続され、アクチュエータとの機械的な接続を含む手段１１８によって実現することができる。その手段は、ドアノブ１０８をロッキング・メカニズム１１４に接続する軸に接続される機械的な構造物とすることができ、アクチュエータへの準固定の接続を含むことができる。たとえば、ドアノブが、反時計方向に回転して最初の位置に戻ったとき、この手段は、アクチュエータに、ロックをロック状態に設定させる。しかし、手段１１８は、ノブ１０８が操作されないとき、処理ユニット２０４によって行われるアクチュエータの電気的制御を可能にする。
【００５４】
用語「回路構成（ｃｉｒｃｕｉｔｒｙ）」又は「電子回路構成」は、本出願で使用するとき、次の事項のすべてを言う、すなわち（ａ）ハードウェアだけの回路実装形態、たとえばアナログ及び／又はデジタルの回路構成だけの実装形態、（ｂ）回路とソフトウェア（及び／又はファームウェア）の組み合わせ、たとえば（適用できる場合）（ｉ）プロセッサ（複数可）の組み合わせ、又は（ｉｉ）機器に様々な機能を果たさせるように連携して動作するデジタル・シグナル・プロセッサ（複数可）、ソフトウェア及びメモリ（複数可）を含むプロセッサ（複数可）／ソフトウェアの一部、（ｃ）回路、たとえばマイクロプロセッサ（複数可）又はマイクロプロセッサ（複数可）の一部であって、それは、たとえソフトウェア又はファームウェアが、物理的に存在していなくとも、動作するためにソフトウェア又はファームウェアが必要なものである。
【００５５】
「回路構成」のこの定義は、本出願のこの用語のすべての使用に適用される。さらなる実例として、本出願で使用するとき、用語「回路構成」は、また、ただ単にプロセッサ（又はマルチプルプロセッサ）、或いはプロセッサ及びその（又はそれらの）付随するソフトウェア及び／又はファームウェアの一部の実装形態をカバーすることになるはずである。用語「回路構成」は、また、たとえば、特定の要素に適用できる場合、携帯電話用のベースバンドの集積回路又はアプリケーション・プロセッサの集積回路、或いはサーバ、セル方式ネットワーク装置又は別のネットワーク装置中の類似の集積回路をカバーすることになるはずである。
【００５６】
実施例では、本発明の特徴は、ソフトウェアとして実現することができる。実施例は、電気機械式ロックを動作させるための上記に述べたステップを実行するコンピュータ・プロセスを実行するための命令のコンピュータ・プログラムをエンコーディングするコンピュータ・プログラム製品として、実施することができる。
【００５７】
当業者には、技術の進歩につれて、発明性の概念は、様々な方法で実施することができることが、明らかなはずである。本発明及びその実施例は、上記に述べた実例に限定されず、請求項の範囲内で変わることができる。
【図１Ａ】
2014535018.tif 000003
【図１Ｂ】
2014535018.tif 000004
【図２】
2014535018.tif 000005
【図３Ａ】
2014535018.tif 000006
【図３Ｂ】
2014535018.tif 000007
【手続補正書】
【提出日】平成26年1月7日(2014.1.7)
【手続補正１】
【補正対象書類名】明細書
【補正対象項目名】００５７
【補正方法】変更
【補正の内容】
【００５７】
当業者には、発明性の概念は、様々な方法で実施することができることが、明らかなはずである。本発明及びその実施例は、上記に述べた実例に限定されず、請求項の範囲内で変わることができる。
【手続補正２】
【補正対象書類名】特許請求の範囲
【補正対象項目名】全文
【補正方法】変更
【補正の内容】
【特許請求の範囲】
【請求項１】
通信装置（１０６）に対する認証の手続きを行い、前記認証が成功したという条件でオープン・コマンドを発行し、前記オープン・コマンドの後から所定の時間内にユーザ入力を受け取らない場合にクローズ・コマンドを発行するために、前記通信装置（１０６）のための無線インターフェース（１１２）を設ける電子回路構成手段（１２０）と、
前記オープン・コマンドを受け取り、機械的にオープン可能な状態に電気機械式ロックを設定し、前記クローズ・コマンドを受け取り、機械的なロック状態に前記ロックを設定するアクチュエータ手段（１２４）とを含み、
前記電子回路構成手段（１２０）は、認証のための前記電子回路構成手段及び前記アクチュエータ手段のための動作電力を無線で前記通信装置（１０６）から受け取り、前記認証が成功したという条件で前記オープン・コマンド及び前記クローズ・コマンドを発行するための動作電力を無線で前記通信装置（１０６）から受け取り、前記認証が不成功であったという条件で、動作電力の受け取りを停止し、動作を終了するように構成される、電気機械式ロック。
【請求項２】
オープン及びクローズのコマンドを前記アクチュエータ手段に送るための動作電力を保存するための、及び前記アクチュエータが必要とする前記動作電力のための１つ又は複数の保存手段をさらに含む、請求項１に記載の電気機械式ロック。
【請求項３】
オープン・コマンドを前記アクチュエータ手段に送るための動作電力を保存するための保存手段と、
クローズ・コマンドを前記アクチュエータ手段に送るための動作電力を保存するための保存手段とをさらに含む、請求項１に記載の電気機械式ロック。
【請求項４】
ユーザから入力を受け取るように構成されるユーザ・インターフェース手段と、
前記アクチュエータ手段がオープン可能な状態に設定された場合、前記ユーザ入力をロック・メカニズム（１１４）に結合するための結合手段とをさらに含む、請求項１から３のいずれか一項に記載の電気機械式ロック。
【請求項５】
ユーザ入力ベースのオープン動作が完了したとき、前記ロックがオープン可能な状態からロック状態に戻るように、前記アクチュエータ手段を機械的に制御するための手段（１１８）をさらに含む、請求項４に記載の電気機械式ロック。
【請求項６】
前記電子回路構成手段（１２０）は、前記ロックがオープン可能であるとき、及びアクセスが拒否されたとき、それをユーザに表示するように構成される、請求項１から５のいずれか一項に記載の電気機械式ロック。
【請求項７】
前記電子回路構成手段（１２０）は、前記ロックがオープン可能であるとき、及びアクセスが拒否されたとき、その表示を前記通信装置（１０６）に送るように構成される、請求項１から６のいずれか一項に記載の電気機械式ロック。
【請求項８】
電気機械式ロックを動作させるための方法であって、
通信装置（１０６）のための無線インターフェース（１１２）を設けるための動作電力を前記通信装置（１０６）から無線で受け取るステップと、
前記無線インターフェースを使用して、前記通信装置（１０６）に対する認証の手続きを行い、前記認証が成功したことを条件にオープン・コマンドを発行するための動作電力を前記通信装置（１０６）から無線で受け取り、前記オープン・コマンドの後から所定の時間内にユーザ入力を受け取らない場合にクローズ・コマンドを発行するための動作電力を前記通信装置（１０６）から無線で受け取るステップと、
前記オープン・コマンドに応答して、前記ロックを機械的にオープン可能な状態に設定するステップと、
前記クローズ・コマンドに応答して、前記ロックを機械的なロック状態に設定するステップと、
前記認証が不成功であったという条件で、動作電力の受け取りを停止し、動作を終了するステップとを含む、前記方法。
【請求項９】
オープン及びクローズのコマンドを送るための、及び前記アクチュエータが必要とする動作電力のための１つ又は複数の保存手段中に、前記動作電力を保存するステップをさらに含む、請求項８に記載の方法。
【請求項１０】
ユーザ入力ベースのオープン動作が完了したとき、オープン可能な状態からロック状態に戻るように、前記ロックを機械的に制御するステップをさらに含む、請求項８から９のいずれか一項に記載の方法。
【請求項１１】
前記ロックがオープン可能なとき、及びアクセスが拒否されたとき、それをユーザに示すステップをさらに含む、請求項８から１０のいずれか一項に記載の方法。
【請求項１２】
前記ロックがオープン可能なとき、及びアクセスが拒否されたとき、その表示を前記通信装置（１０６）に送るステップをさらに含む、請求項８から１１のいずれか一項に記載の方法。
【請求項１３】
電気機械式ロックの電子回路構成上で実行されると、以下のステップを実行する命令のコンピュータ・プログラムをエンコーディングするコンピュータ・プログラム製品であって、前記ステップは、
通信装置（１０６）から無線で受け取った動作電力の受け取りを制御して、前記通信装置（１０６）のための無線インターフェース（１１２）を設けるために、前記受け取った動作電力を印加するステップと、
前記無線インターフェースを使用して、前記通信装置（１０６）に対する認証の手続きを行い、
前記認証が成功したという条件で、通信装置（１０６）から無線で受け取った動作電力の受け取りを制御して、前記ロックを機械的にオープン可能な状態に設定するオープン・コマンドを発行するため、および前記オープン・コマンドの後から所定の時間内にユーザ入力を受け取らない場合にクローズ・コマンドを発行するために、前記受け取った動作電力を印加するステップと、
前記認証が不成功であったという条件で、動作電力の受け取りを停止し、動作を終了するステップとを含む、前記コンピュータ・プログラム製品。
【国際調査報告】
2014535018.tif 000008
2014535018.tif 000009
2014535018.tif 000010